(57)【要約】      （修正有）【課題】棚板を取付部材に対しガタを生じることなく、また棚板に不用意な力が作用しても、棚板を取付部材から脱落しないように、安定に保持可能にする。【解決手段】棚板２の一側縁を上下方向から保持する上部棚板保持片３および下部棚板保持片４と、これらの上部棚板保持片３および下部棚板保持片４の棚板保持面側にそれぞれ設けられたシール材収納溝５、６とを備え、シール材収納溝５、６にシール材１１，１２を収納する。【選択図】図３
0003113911.tif 000002
【実用新案登録請求の範囲】
【請求項１】
棚板を取付部材に対し水平保持可能にする棚板保持具であって、上部に前記取付部材に装着する係止片を形設すると共に前記棚板の一側縁を上下方向から保持する上部棚板保持片および下部棚板保持片とが断面略Ｌ字状で一体に形成され、これらの上部棚板保持片および下部棚板保持片の棚板保持面側にそれぞれ設けられたシール材収納溝とを備え、該シール材収納溝にシール材が収納されてなることを特徴とする棚板保持具。
【請求項２】
前記下部棚板保持片が前記上部棚板保持片に比べて棚板側に長く延出され、前記下部棚板保持片側のシール材収納溝が前記上部棚板保持片側のシール材収納溝に対し、前記延出方向にオフセットしてなることを特徴とする請求項１に記載の棚板保持具。
【請求項３】
前記上部棚板保持片および前記下部棚板保持片間への棚板側縁の挿入により、これらの棚板と上部棚板保持片および下部棚板保持片との間に発生する空気圧を緩和するための空隙を設けてなることを特徴とする請求項１に記載の棚板保持具。
【請求項４】
棚板を取付部材に対し水平保持可能にする棚板保持具であって、前記取付部材の垂直面からオーバハング状に突出したフック部に対し係止および係止解除可能に装着される係止片と、該係止片の前記取付部材側に該取付部材の垂直面に対向する略垂直の垂直支持面と、該垂直支持面の下端部に前記取付部材の垂直面に支持される小突起と、該小突起の端部を屈曲し、前記取付部材の垂直面から突出する支持突起上に支持される支持面とを備えることを特徴とする棚板保持具。
【考案の詳細な説明】
【技術分野】
【０００１】
本考案は、棚板の一側縁に装着され、この棚板を取付部材の垂直面に対し水平保持を可能にする棚板保持具に関する。
【背景技術】
【０００２】
従来から、デパートや商店において、棚板の上に商品などの物品を陳列して、展示、販売に供する商品陳列装置が広く利用されている。この商品陳列装置は、例えば２本の支柱に複数の係止孔を列設しておき、棚板支持板端に突設したフックを、その係止孔に嵌合させることにより、その棚板支持板上に棚板を戴置可能にする（例えば、特許文献１参照）。
この商品陳列装置では、棚板支持板上に戴置した棚板に、例えば置き売り用の商品を陳列し、販売に供することができる。
【特許文献１】特開平８−１４０７９６号公報
【考案の開示】
【考案が解決しようとする課題】
【０００３】
しかしながら、従来の商品支持装置は、棚板支持板端に設けたフックを、支柱側の係止孔に嵌合、保持させる構成を採用するものであるため、フックと係止孔との間に生じるガタによって、フックが左右に揺動する。
また、物品の重量が大きい場合には、フックが捩れたり、折れたりする場合がある。
【０００４】
さらに、従来の商品陳列装置は、棚板支持板に対し棚板を単に戴置するという構成であるため、棚板が棚板支持板上で位置ずれしたり、棚板に上方への押し上げ力が作用した場合などに、棚板が棚板支持板から簡単に落下してしまうという不都合があった。
【０００５】
本考案は、前記のような従来の問題点に着目してなされたものであり、棚板の一側縁を上下方向から保持させたものを、支柱や壁面などの取付部材に嵌合させるという構成を採用することにより、棚板を取付部材に対しガタを生じることなく、また棚板に不用意な力が作用しても、棚板が取付部材から簡単に脱落しないように安定に保持することができる棚板保持具を提供することを目的とする。
【課題を解決するための手段】
【０００６】
前記目的達成のために、本考案の請求項１にかかる棚板保持具は、棚板を取付部材に対し水平保持可能にする棚板保持具であって、上部に取付部材（壁面）に装着する係止片を形設すると共に前記棚板の一側縁を上下方向から保持する上部棚板保持片および下部棚板保持片とが断面略Ｌ字状で一体に形成され、これらの上部棚板保持片および下部棚板保持片の棚板保持面側にそれぞれ設けられたシール材収納溝とを備え、該シール材収納溝にシール材が収納されてなることを特徴とする。
【０００７】
これにより、上部棚板保持片と下部棚板保持片との間にシール材を介して棚板を常時水平に保持できる。シール収納溝とシール材で棚板が上部棚板保持片と下部棚板保持片との間において、ガタを生じることがなく，安定に保持される。さらに、棚板保持具が取付部材の嵌合部に嵌合状態で装着される構成であるため、棚板およびこの上に戴置される置き売り商品等の重量を受けて、棚板が支持部材に対しさらに安定保持可能となる。
【０００８】
また、本考案の請求項２にかかる棚板保持具は、前記下部棚板保持片が前記上部棚板保持片に比べて棚板側に長く延出され、前記下部棚板保持片側のシール材収納溝が前記上部棚板保持片側のシール材収納溝に対し、前記延出方向にオフセットしてなることを特徴とする。
【０００９】
これにより、棚板が下部棚板保持片から外れにくくして、容易にて落下することを防止することができるとともに、上部棚板保持片および下部棚板保持片間への棚板側縁の挿入操作を容易化することができる。また、この挿入操作時に、棚板の側縁と上部棚板保持片および下部棚板保持片との間に残る空気を外に逃がし易くし、前記挿入操作をスムースかつ軽快に行わせることができる。
【００１０】
また、本考案の請求項３にかかる棚板保持具は、前記上部棚板保持片および前記下部棚板保持片間への棚板側縁の挿入により、これらの棚板と上部棚板保持片および下部棚板保持片との間に発生する空気圧を緩和するための空隙を設けてなることを特徴とする。
【００１１】
これにより、棚板の側縁を挟むシール材のシール作用によって、外部へ逃げずに残った空気が、棚板側縁の前記上部棚板保持片および下部棚板保持片間への挿入操作を妨げになることを、十分に回避することができる。
【００１２】
また、本考案の請求項４にかかる棚板保持具は、棚板を取付部材に対し水平保持可能にする棚板保持具であって、前記取付部材の垂直面からオーバハング状に突出したフック部に対し係止および係止解除可能に装着される係止片と、該係止片の前記取付部材側に該取付部材の垂直面に対向する略垂直の垂直支持面と、該垂直支持面の下端部に前記取付部材の垂直面に支持される小突起と、該小突起の端部を屈曲し、前記取付部材の垂直面から突出する支持突起上に支持される支持面とを備えることを特徴とする。
【００１３】
これにより、棚板を保持する棚板保持具を、支持部材に向って斜め上方に移動操作して、その棚板保持具の係止片をフック部の内側に引っ掛け、その棚板保持具の垂直支持面を取付部材の垂直面に近接させることで、小突起を前記垂直面に支持させることができる。このため、取付部材側の支持突起上に棚板保持具の支持面が戴置されて安定保持され、棚板保持具を、取付部材に対しガタを生じることなく、安定的に支持することができる。また、この柵板支持具に保持され、かつ商品等が戴置された柵板を、取付部材に対し水平に安定支持することができる。
【考案の効果】
【００１４】
本考案は、棚板の一側縁を上下方向から保持する上部棚板保持片および下部棚板保持片を設け、これらの上部棚板保持片および下部棚板保持片の棚板保持面側にそれぞれシール材収納溝を設け、該シール材収納溝にシール材を収納するように構成したことにより、棚板を上部棚板保持片と下部棚板保持片とに対してガタを生じることがなく，安定的に確実に保持することができる。また、棚板およびこの棚板上に戴置される置き売り商品等の重量を受けることで、取付部材による棚板支持具の支持力がさらに増し、棚板を支持部材に対しさらに安定的かつ水平に保持することができる。
【考案を実施するための最良の形態】
【００１５】
以下、本考案の実施形態による棚板保持具を、図面を参照して詳細に説明する。
図１は、本考案の棚板保持具１で棚板を水平に支持した状態を示す斜視図であり、ここでは、２個の棚板保持具１，１が棚板２の一側縁に装着されている。この棚板保持具１は、後述のように、取付部材（壁面）の垂直面に対し、棚板２を水平保持するように機能する。
この棚板保持具１は、アルミニュームなどの金属材料、或いは硬質合成樹脂の成形品として得られる。一方、棚板２は、ガラス板、アクリルなどの合成樹脂板、あるいは木板などからなり、必要に応じ、商品の種類等に応じた色彩や模様などのデザインが施される。
【００１６】
図２は、前記棚板保持具１の詳細を示す側面断面図である。この図２において、棚板保持具１は、全体として略Ｌ字状断面形状を形成する一体物である。この棚板保持具１は、上部棚板保持片３と、下部棚板保持片４と、この上部棚板保持片３と下部棚板保持片４の棚板保持面側に形設されたシール材収納溝５，６と、このシール材収納溝５，６に装填するシール材と、取付部材に装着する係止片７と、垂直支持面８と、垂直支持面８の下端部に形設された小突起９と、支持面１０とで構成される。
【００１７】
前記のうち、上部棚板保持片３および下部棚板保持片４は、前記棚板２の一側縁を上下方向から挟んで保持するように機能し、これらの対向する面側のそれぞれに前記のシール材収納溝５、６が形成されている。これらのシール材収納溝５、６には、図３に示すようなシール材１１、１２が容易に脱落しないように収納されている。
【００１８】
なお、この収納状態においては、シール材１１、１２の頭が自身の弾性により、各シール材収納溝５、６の開口部より僅か（例えば、０．６ミリ程度）外へ突出するように伸長している。また、上部棚板保持片３および下部棚板保持片４の対抗面においては、各シール材収納溝５、６の周辺部を含む所定領域が、棚板２に密接可能な平坦面１３、１４となっている。さらに、各平坦面１３、１４間には、これらに連続するように、棚板２の衝当て面１５および後述の空隙Ｇを形成するための傾斜面１６が形成されている。
【００１９】
また、下部棚板保持片４は、上部棚板保持片３に比べて棚板方向に長く延出され、下部棚板保持片４側のシール材収納溝６が上部棚板保持片３側のシール材収納溝５に対して、前記延出方向にオフセットしている。
これにより、棚板２が下部棚板保持片４から外れにくくし、落下するのを確実に回避することができるとともに、上部棚板保持片３および下部棚板保持片４間への棚板側縁の挿入操作を容易化している。また、この挿入操作時における、棚板２の側縁と、上部棚板保持片３および下部棚板保持片４との間に空気が残る量を抑制することができ、これにより前記挿入操作をスムースに行わせることができる。
【００２０】
前記係止片７は、棚板保持具１の上端部に連接され、上部棚板保持片３および下部棚板保持片４と同じ方向に、短くＬ字状に突出されている。この係止片７は、後述の支持部材のフック部に係止可能となっている。
【００２１】
前記垂直支持面８は係止片７に連続し、後述の支持部材の垂直面に対向可能な垂直支持面とされている。前記小突起９は、前記垂直支持面８の下方に連続しており、後述の取付部材の垂直面に支持可能となっている。
【００２２】
支持面１０は、前記下部棚板保持片４の下面に設けられ、取付部材の垂直面から突出する後述の支持突起上に支承される円弧状面１０ａと傾斜状面１０ｂとからなる。また、本考案の構成要素ではないが、図３および図４に、本考案の棚板保持具１を着脱自在に装着するための前記取付部材１７を示す。
【００２３】
この取付部材１７は、陳列台の支柱や店舗内の壁面などであり、この取付部材１７には、垂直面１８からオーバハング状に突出する略Ｕ字状のフック部１９が設けられている。
このフック部１９の下部に連続する垂直面１８には、さらに前記下部柵板保持片４の円弧状面１０ａおよび傾斜状面１０ｂを、密接状態で支持する支持突起２０が設けられている。
【００２４】
次に、前記構成になる棚板保持具１の使用方法について、図３および図４を参照しながら説明する。
まず、図２に示すような棚板支持具１のシール材収納溝５，６にシール材１１，１２を装填する。この棚板支持具１を構成する上部棚板保持片３および下部棚板保持片４間に、棚板２の一側縁が嵌まり込むように、棚板保持具１を操作する。この棚板保持具１に対する棚板２の嵌め込み操作は、例えば棚板２の側縁を上部棚板保持片３および下部棚板保持片４間に水平方向より、好ましくは図３に示すように、上方から斜め下方(矢印Ｐ方向）に向けて行う。
この上方から斜め下方への挿し込み操作によれば、上部棚板保持片３および下部棚板保持片４間の間口が広くなるため、これらの間への棚板２の挿し込み操作が、妨害なくスムースに行える。
【００２５】
また、このような斜め下方への挿し込み操作の最終段階において、棚板２の先端部(棚板保持具１がある側とは反対側の部分）を矢印Ｑ方向に押し下げると、棚板２の上下面にシール材１１、１２が始めて接触することとなる。このため、棚板２の側縁と、上部棚板保持片３および下部棚板保持片４との間に空気が残りにくくなり、残ってもその量が少なくなる。
【００２６】
なお、棚板２の側縁と上部棚板保持片３および下部棚板保持片４との間に残った空気は、棚板２の側縁に形成されたカット面２ａによって得られる前記空隙Ｇ内に低圧状態で保持される。このため、棚板２の側縁は、空隙Ｇ内の空気圧による反力に大きく影響されずに、棚板保持具１の前記衝き当て面１５に速やかに接触する。従って、棚板２への棚板保持具の取付けを、容易かつ軽快に行える。
【００２７】
次に、このようにして棚板２の側縁に装着した棚板保持具１を、図４に示すように、支持部材１７の垂直面１８に近づける。このとき、この支持部材１７上の前記フック部１９に対し、斜め下方から斜め上方に向けて、Ｌ字状の係止片７を回動させて装着する。（さらに、前記フック部１９の内側に引っ掛ける方向に、棚板２を操作する。）
【００２８】
また、この操作に続いて、あたかも係止片７を中心として棚板支持具１を矢印Ｓ方向（反時計方向）に回動させるように、棚板２を操作する。この操作により、係止片７はフック部１９の内側に引っ掛かり、棚板支持具１の垂直支持面８が支持部材１７の垂直面１８に近接する。このとき、小突起９が垂直面１８の下部に接触する。また、この小突起９が垂直面１８に接触した状態では、支持突起２０は、下部棚板保持片４の円弧状面１０ａおよび傾斜状面１０ｂのそれぞれを密接状態で支承する。
【００２９】
この状態においては、棚板支持具１は、支持部材１７のフック部１９および支持突起２０間に装着されて、棚板２を図３に示すように略水平に支持する。また、棚板２自体の重量および棚板上に陳列、展示される商品等の重量を受けると、小突起９は垂直面１８に対し、前記係止片７とフック部１９とのガタ等を吸収するように蜜接する。このため、棚板２、棚板支持具１および支持部材１７が相互に蜜嵌し、前記柵板２の水平状態がさらに安定かつ確実に保持される。従って、棚板２に外部から不用意な力が加わっても、棚板２が支持部材１７から容易に脱落することはない。
【００３０】
一方、商品等の展示が終了した場合などにおいては、棚板２を支持部材１７から分離する。このときには、図４に示した矢印Ｓ方向およびＲ方向とは逆の方向へ、棚板２を操作する。これにより、棚板支持具１における下部棚板保持片４の円弧状面１０ａおよび傾斜状面１０ｂが、支持突起２１の上面から外れる。同時に、係止突起９が垂直面１８から離れる。この結果、係止片７はフック部１から速やかに解除される。つまり、このような解除手順を経てのみ、棚板２を支持部材１７から外すことができず、結果として、棚板２の支持部材１７からの不用意な脱落が回避される。
【００３１】
このように、本実施形態では、棚板２の一側縁を上下方向から保持する上部棚板保持片３および下部棚板保持片４と、これらの上部棚板保持片３および下部棚板保持片４の棚板保持面側にそれぞれ設けられたシール材収納溝５、６とを備え、該シール材収納溝５、６にシール材１１，１２を収納するような構成としたことで、上部棚板保持片３と下部棚板保持片４との間にシール材１１、１２を介して棚板２を保持させることができる。また、棚板２が上部棚板保持片３と下部棚板保持片４との間でガタを生じることがなく，安定に保持される。さらに、棚板保持具１が取付部材１７のフック部に嵌合状態で装着される構成であるため、棚板２およびこの上に戴置される置き売り商品等の重量と相俟って、棚板２を支持部材１７に対してさらに安定保持可能とすることができる。
【産業上の利用可能性】
【００３２】
本考案は、棚板を取付部材に対しガタを生じることなく、また棚板に不用意な力が作用しても、棚板が取付部材から脱落しないように安定に保持することができるという効果を有し、棚板を取付部材の垂直面に対し水平保持可能にする棚板保持具等として、有用である。
【図面の簡単な説明】
【００３３】
【図１】本考案の実施形態による棚板支持具の使用状態を示す斜視図。
【図２】図１に示す棚板支持具の詳細な断面図。
【図３】図１における棚板の棚板支持具に対する取り付け状態を示す要部の断面図。
【図４】図１における棚板の支持部材に対する支持操作状態を示す要部の断面図。
【符号の説明】
【００３４】
１…棚板支持具、２…棚板、３…上部棚板保持片、４…下部棚板保持片、５…シール材収納溝、６…シール材収納溝、７…係止片、８…垂直支持面、９…係止突起、１０…支持面、１１，１２…シール材
【図１】
0003113911.tif 000003
【図２】
0003113911.tif 000004
【図３】
0003113911.tif 000005
【図４】
0003113911.tif 000006